(57)【要約】    【課題】      ユーザが気軽に援助を求めたり、これに応えたりするために、被援助者が、近くにいる援助者の一人を選択して通話を行うこと。    【解決手段】  応答項目記憶部３０５は、応答項目を表示部３０３に表示させ、ユーザに選択された応答項目を記憶する。距離算出部３０８は、被援助者の携帯電話機と自機との距離を算出する。条件判定部３０９は、被援助者の携帯電話機と自機との距離が予め設定された閾値以下で、かつ、援助項目と応答項目記憶部３０５に記憶されている応答項目とが一致している場合に限り、援助依頼があった旨及び援助項目をメッセージとして表示部３０３に表示させる。ユーザが、表示された援助依頼に応える場合、自機のＩＤ情報を含む応答パケットが、被援助者の携帯電話機に送信される。  【選択図】      図３
2005277903.tif 000002
【特許請求の範囲】
【請求項１】
１の被援助側通信端末装置から不特定多数の援助側通信端末装置にメッセージを発信する移動体通信システムに用いられる前記被援助側通信端末装置であって、
援助の内容を示す情報である援助項目を記憶し、ユーザにて選択された援助項目を前記援助側通信端末装置に送信する援助項目記憶手段と、
前記複数の援助側通信端末装置から送信されたＩＤ情報の中から１つを選択し、選択したＩＤ情報の援助側通信端末装置に対して発呼を行う応答ＩＤ選択手段と、を具備することを特徴とする被援助側通信端末装置。
【請求項２】
通話用の電波の周波数とは別の周波数にて、所定の範囲にいる前記援助側通信端末装置に届く強さで前記援助項目を送信する請求項１記載の被援助側通信端末装置。
【請求項３】
１の被援助側通信端末装置から不特定多数の援助側通信端末装置にメッセージを発信する移動体通信システムに用いられる前記援助側通信端末装置であって、
前記被援助側通信端末装置と自機との距離を算出する距離算出手段と、
ユーザが援助に対して応答可能な項目である応答項目を記憶する応答項目記憶手段と、
前記距離算出手段にて算出された距離が予め設定された閾値以下であり、かつ、前記被援助側通信端末装置から送信された援助の内容を示す情報である援助項目と前記応答項目とが一致した場合に前記援助項目を画面に表示させる条件判定手段と、
前記ユーザからの指示により自機のＩＤ情報を前記被援助側通信端末装置に送信する送信手段と、を具備することを特徴とする援助側通信端末装置。
【請求項４】
１の被援助側通信端末装置から不特定多数の援助側通信端末装置にメッセージを発信する移動体通信システムの通信方法であって、
前記被援助側通信端末装置にて、援助の内容を示す情報である援助項目を記憶し、ユーザに選択された援助項目を前記援助側通信端末装置に送信する工程と、
前記援助側通信端末装置にて、前記被援助側通信端末装置と自機との距離を算出する工程と、
前記援助側通信端末装置にて、前記被援助側通信端末装置と自機との距離が予め設定された閾値以下であり、かつ、前記被援助側通信端末装置から送信された援助項目とユーザが援助に対して応答可能な項目である応答項目とが一致した場合に前記援助項目を画面に表示させる工程と、
前記援助側通信端末装置にて、前記ユーザからの指示により自機のＩＤ情報を前記被援助側通信端末装置に送信する工程と、
前記被援助側通信端末装置にて、前記複数の援助側通信端末装置から送信されたＩＤ情報の中から１つを選択し、選択したＩＤ情報の援助側通信端末装置に対して発呼を行う工程と、を具備することを特徴とする通信方法。
【請求項５】
基地局にて、前記被援助側通信端末装置から前記援助項目を受信した場合、前記受信項目を自セルに所属する前記援助側通信端末装置にのみ送信することを特徴とする通信方法。
【請求項６】
１の被援助側通信端末装置から不特定多数の援助側通信端末装置にメッセージを発信する移動体通信システムに用いられるサーバであって、
前記被援助側通信端末装置と前記各援助側通信端末装置との距離を算出する距離算出手段と、
各援助側通信端末装置のユーザが援助に対して応答可能な項目である応答項目を記憶する応答項目記憶手段と、
前記距離算出手段にて算出された距離が予め設定された閾値以下であり、かつ、前記被援助側通信端末装置から送信された援助の内容を示す情報である援助項目と前記応答項目とが一致する援助側通信端末装置を検索する条件判定手段と、
前記条件判定手段にて検索された援助側通信端末装置に対して前記援助項目を送信する送信手段と、を具備することを特徴とするサーバ。
【発明の詳細な説明】
【技術分野】
【０００１】
本発明は、不特定の相手にメッセージを発信する通信端末装置及び通信方法に関する。
【背景技術】
【０００２】
最近は人間関係が希薄になり、道に迷って教えて欲しい等、町中でちょっとした手助けが欲しいときにも気軽に他人に尋ねづらくなっている。また、困ったように見える人に援助を申し出ても余計なお世話と言われる可能性があり、話し掛けづらくなっている。
【０００３】
そこで、最近普及が著しい携帯電話機等の通信端末装置を用いて、援助を求めたり、これに応えたりすることが考えられる。
【０００４】
これに対して、従来から、携帯電話機を用いて不特定の人にメッセージを発信し、それに対して興味のある人が返信し、受信に際し所定の条件を満たす人からの情報のみを受信するモードを有する技術が開示されている（例えば、特許文献１）。
【特許文献１】特開平１１−３３１９３９号公報
【発明の開示】
【発明が解決しようとする課題】
【０００５】
しかしながら、上記特許文献１は、援助など到底できない広範囲な地域にいる不特定の人に宛てて送信するものであることから、気軽に援助を求めたり、これに応えたりすることを目的とするものではない。
【０００６】
本発明はかかる点に鑑みてなされたものであり、ユーザが気軽に援助を求めたり、これに応えたりすることができる通信端末装置及び通信方法を提供することを目的とする。なお、以下の説明において、援助を行う者を援助者、援助を受ける者を被援助者という。
【課題を解決するための手段】
【０００７】
かかる課題を解決するため、本発明の被援助側通信端末装置は、１の被援助側通信端末装置から不特定多数の援助側通信端末装置にメッセージを発信する移動体通信システムに用いられる前記被援助側通信端末装置であって、援助の内容を示す情報である援助項目を記憶し、ユーザにて選択された援助項目を前記援助側通信端末装置に送信する援助項目記憶手段と、前記複数の援助側通信端末装置から送信されたＩＤ情報の中から１つを選択し、選択したＩＤ情報の援助側通信端末装置に対して発呼を行う応答ＩＤ選択手段と、を具備する構成を採る。
【０００８】
この構成により、被援助者が、近くにいる援助者の一人を選択して通話を行うことができるので、ユーザが気軽に援助を求めたり、これに応えたりすることができる。
【０００９】
本発明の被援助側通信端末装置は、通話用の電波の周波数とは別の周波数にて、所定の範囲にいる前記援助側通信端末装置に届く強さで前記援助項目を送信する構成を採る。
【００１０】
この構成により、援助側通信端末装置には自己位置検出機能、距離算出機能が不要となり、装置の小型軽量化、消費電力の低減を図ることができ、ＧＰＳを使用することができない地下街等でも本システムを実施することができる。
【００１１】
本発明の援助側通信端末装置は、１の被援助側通信端末装置から不特定多数の援助側通信端末装置にメッセージを発信する移動体通信システムに用いられる前記援助側通信端末装置であって、前記被援助側通信端末装置と自機との距離を算出する距離算出手段と、ユーザが援助に対して応答可能な項目である応答項目を記憶する応答項目記憶手段と、前記距離算出手段にて算出された距離が予め設定された閾値以下であり、かつ、前記被援助側通信端末装置から送信された援助の内容を示す情報である援助項目と前記応答項目とが一致した場合に前記援助項目を画面に表示させる条件判定手段と、前記ユーザからの指示により自機のＩＤ情報を前記被援助側通信端末装置に送信する送信手段と、を具備する構成を採る。
【００１２】
この構成により、被援助者が、近くにいる援助者の一人を選択して通話を行うことができるので、ユーザが気軽に援助を求めたり、これに応えたりすることができる。
【００１３】
本発明の通信方法は、１の被援助側通信端末装置から不特定多数の援助側通信端末装置にメッセージを発信する移動体通信システムの通信方法であって、前記被援助側通信端末装置にて、援助の内容を示す情報である援助項目を記憶し、ユーザに選択された援助項目を前記援助側通信端末装置に送信する工程と、前記援助側通信端末装置にて、前記被援助側通信端末装置と自機との距離を算出する工程と、前記援助側通信端末装置にて、前記被援助側通信端末装置と自機との距離が予め設定された閾値以下であり、かつ、前記被援助側通信端末装置から送信された援助項目とユーザが援助に対して応答可能な項目である応答項目とが一致した場合に前記援助項目を画面に表示させる工程と、前記援助側通信端末装置にて、前記ユーザからの指示により自機のＩＤ情報を前記被援助側通信端末装置に送信する工程と、前記被援助側通信端末装置にて、前記複数の援助側通信端末装置から送信されたＩＤ情報の中から１つを選択し、選択したＩＤ情報の援助側通信端末装置に対して発呼を行う工程と、を具備する方法を採る。
【００１４】
本発明の通信方法は、基地局にて、前記被援助側通信端末装置から前記援助項目を受信した場合、前記受信項目を自セルに所属する前記援助側通信端末装置にのみ送信する方法を採る。
【００１５】
これらの方法により、被援助者が、近くにいる援助者の一人を選択して通話を行うことができるので、ユーザが気軽に援助を求めたり、これに応えたりすることができる。
【００１６】
本発明のサーバは、１の被援助側通信端末装置から不特定多数の援助側通信端末装置にメッセージを発信する移動体通信システムに用いられるサーバであって、前記被援助側通信端末装置と前記各援助側通信端末装置との距離を算出する距離算出手段と、各援助側通信端末装置のユーザが援助に対して応答可能な項目である応答項目を記憶する応答項目記憶手段と、前記距離算出手段にて算出された距離が予め設定された閾値以下であり、かつ、前記被援助側通信端末装置から送信された援助の内容を示す情報である援助項目と前記応答項目とが一致する援助側通信端末装置を検索する条件判定手段と、前記条件判定手段にて検索された援助側通信端末装置に対して前記援助項目を送信する送信手段と、を具備する構成を採る。
【００１７】
この構成により、被援助者が、近くにいる援助者の一人を選択して通話を行うことができるので、ユーザが気軽に援助を求めたり、これに応えたりすることができ、さらに、援助者側通信端末装置の小型軽量化、消費電力の低減を図ることができる。
【発明の効果】
【００１８】
本発明によれば、被援助者が、近くにいる援助者の一人を選択して通話を行うことができるので、ユーザが気軽に援助を求めたり、これに応えたりすることができる。
【発明を実施するための最良の形態】
【００１９】
本発明者は、一般的に、援助を行うには援助者が被援助者の近くにいる必要があることから、援助パケットが届く範囲を制限しても問題ないことに着目し、本発明をするに至った。
【００２０】
すなわち、本発明の骨子は、援助者側通信端末装置が被援助者側通信端末装置から所定の距離の範囲内にあり、被援助者が求める援助の内容と援助者が応答可能な援助の内容が一致した場合のみ援助者側通信端末装置に援助項目を表示させること、及び、被援助者側通信端末装置が、援助の申し出のあった複数の援助者の中から一人を選択することである。
【００２１】
以下、本発明の実施の形態について図面を参照して詳細に説明する。なお、以下の各実施の形態では、通信端末装置として携帯電話機を例に説明する。
【００２２】
（実施の形態１）
図１は、本発明の実施の形態１に係る携帯電話機を含む移動体通信システムを示すシステム図である。図１において、基地局（ＢＳ）１１１が、セル内に存在する携帯電話機（ＭＳ）１０１〜１０４と通信を行う。なお、以下の説明では、携帯電話機１０１が被援助者の携帯電話機とし、携帯電話機１０２、１０３、１０４が援助者の携帯電話機とする。
【００２３】
次に、本実施の形態に係る被援助者の携帯電話機１０１の構成について図２のブロック図を用いて説明する。
【００２４】
図２の携帯電話機１０１は、通話部２０１と、送受信部２０２と、表示部２０３と、入力部２０４と、援助項目記憶部２０５と、ＩＤ保持部２０６と、位置検出部２０７と、パケット組み立て部２０８と、受信パケット解析部２０９と、応答ＩＤ選択部２１０とから主に構成される。
【００２５】
通話部２０１は、携帯電話の標準的な通話のための機能であり、マイクロフォン、スピーカ等を含む。
【００２６】
送受信部２０２は、携帯電話の標準的な信号処理のための機能であり、符号化／復号化、変調／復調、周波数変換、増幅等の処理を行う。
【００２７】
表示部２０３は、送受信部２０２に受信された情報、援助項目記憶部２０５から出力された援助の内容を示す情報（以下、「援助項目」という）等を画面上に表示する。また、表示部２０３は、入力部２０４を介するユーザの指示により表示画面を動作させる。なお、援助項目の例として、「目的場所までの道順を教えて欲しい。」、「荷物を持って欲しい」等が挙げられる。
【００２８】
入力部２０４は、ユーザ（被援助者）の釦類の操作による指示を電気的に変換して指示信号とし、指示信号を表示部２０３、援助項目記憶部２０５あるいは応答ＩＤ選択部２１０に出力する。
【００２９】
援助項目記憶部２０５は、援助項目を記憶し、ユーザの指示により援助項目を表示部２０３に表示させ、ユーザに選択された援助項目の情報をパケット組み立て部２０８に出力する。
【００３０】
ＩＤ保持部２０６は、自機のＩＤ情報（以下、「援助ＩＤ情報」という）を記憶する。
【００３１】
位置検出部２０７は、自機の現在の位置を検出し、検出位置示す情報（以下、「援助位置情報」という）をパケット組み立て部２０８に出力する。
【００３２】
パケット組み立て部２０８は、援助項目記憶部２０５によって選択された援助項目の情報、ＩＤ保持部２０６に記憶されている援助ＩＤ情報、及び、位置検出部２０７から出力された援助位置情報を含むパケット（以下、「援助パケット」という）を組み立てる。援助パケットは送受信部２０２を介して基地局１１１に無線送信され、基地局１１１からセル内の援助者の携帯電話機１０２〜１０４に送信される。なお、ＩＤ情報は一般に携帯電話機の電話番号であるが、メールアドレス等を用いても良い。
【００３３】
受信パケット解析部２０９は、援助者の携帯電話機から送信されたパケット（以下、「応答パケット」という）の内容を解析し、援助者の携帯電話機のＩＤ情報（以下、「応答ＩＤ情報」という）を応答ＩＤ選択部２１０に出力する。
【００３４】
応答ＩＤ選択部２１０は、全ての応答ＩＤ情報の中から１つを選択し、選択した応答ＩＤ情報の携帯電話機に対して発呼を行う。これにより、ユーザは援助者と通話ができ、援助を受けることができる。また、応答ＩＤ選択部２１０は、ユーザの操作により入力部２０４から援助事項が終了しなかった旨の信号を入力した場合、さらに他の１つの応答ＩＤ情報を選択し、選択した応答ＩＤ情報の携帯電話機に対して発呼を行う。一方、応答ＩＤ選択部２１０は、ユーザの操作により入力部２０４から援助事項が終了した旨の信号を入力した場合、選択しなかった全ての応答ＩＤ情報の携帯電話機に対して、援助事項が終了した旨の信号（以下、「終了通知」という）を送受信部２０２を介して送信する。なお、応答ＩＤ選択部２１０における選択アルゴリズムとして、（１）ランダムに選択する、（２）先着順に選択する、（３）被援助者の選択指示に従う、等が考えられる。（１）、（２）の選択方法の場合には、ＩＤ情報を表示する必要が無いのでプライバシーの保護の観点から有益である。また、（３）の選択方法であっても、ＩＤ情報を表示させず、仮名等を表示させるようにすれば、プライバシーは保護される。
【００３５】
次に、本実施の形態に係る援助者の携帯電話機１０２の構成について図３のブロック図を用いて説明する。なお、他の援助者の携帯電話機１０３、１０４も同様の構成を採る。
【００３６】
図３の携帯電話機１０２は、通話部３０１と、送受信部３０２と、表示部３０３と、入力部３０４と、応答項目記憶部３０５と、受信パケット解析部３０６と、位置検出部３０７と、距離算出部３０８と、条件判定部３０９と、ＩＤ保持部３１０と、パケット組み立て部３１１とから主に構成される。
【００３７】
ここで、携帯電話機１０２の機能として、（１）ユーザ（援助者）によって設定された援助に対して応答可能な項目（以下、「応答項目」という）を記憶する機能と、（２）通信相手からの援助要求に応答する機能の２つがある。以下の説明では、上記機能別に構成を説明する。
【００３８】
まず、（１）ユーザが応答可能な項目を記憶する機能に関する構成は、表示部３０３、入力部３０４及び応答項目記憶部３０５である。
【００３９】
表示部３０３は、応答項目記憶部３０５から出力された応答項目を画面上に表示する。入力部３０４は、ユーザの釦類の操作による指示を電気的に変換して指示信号とし、ユーザが選択した応答項目を示す指示信号を応答項目記憶部３０５に出力する。応答項目記憶部３０５は、応答項目を表示部３０３に表示させ、ユーザに選択された応答項目を記憶する。
【００４０】
次に、（２）通信相手からの援助要求に応答する機能について説明する。
【００４１】
通話部３０１は、携帯電話の標準的な通話のための機能であり、マイクロフォン、スピーカ等を含む。
【００４２】
送受信部３０２は、携帯電話の標準的な信号処理のための機能であり、符号化／復号化、変調／復調、周波数変換、増幅等の処理を行う。
【００４３】
表示部３０３は、送受信部３０２に受信された情報等を画面上に表示する。また、表示部３０３は、入力部３０４を介するユーザの指示により表示画面を動作させる。
【００４４】
入力部３０４は、ユーザの釦類の操作による指示を電気的に変換して指示信号とし、指示信号を表示部３０３あるいはＩＤ保持部３１０に出力する。
【００４５】
受信パケット解析部３０６は、送受信部３０２に受信された援助パケットの内容を解析し、援助位置情報を距離算出部３０８に出力し、援助項目を条件判定部３０９に出力し、援助ＩＤ情報をパケット組み立て部３１１に出力する。
【００４６】
位置検出部３０７は、自機の現在の位置を検出し、検出位置示す情報（以下、「応答位置情報」という）を距離算出部３０８に出力する。
【００４７】
距離算出部３０８は、援助位置情報と応答位置情報とにより、被援助者の携帯電話機と自機との距離を算出し、算出結果を条件判定部３０９に出力する。
【００４８】
条件判定部３０９は、被援助者の携帯電話機と自機との距離が予め設定された閾値以下で、かつ、援助項目と応答項目記憶部３０５に記憶されている応答項目とが一致している場合に限り、援助依頼があった旨及び援助項目をメッセージとして表示部３０３に表示させる。表示画面の例を図４に示す。ユーザはその表示を見て援助の求めに応えるか否かを判断する。ユーザが援助の求めに応える場合、ユーザの入力部３０４の操作により、指示信号がＩＤ保持部３１０に出力される。なお、援助依頼があった旨を、音や振動でユーザに知らせるようにしても良い。
【００４９】
ＩＤ保持部３１０は、自機のＩＤ情報すなわち応答ＩＤ情報を記憶し、入力部３０４から援助の求めに応える旨の指示信号を入力した場合、応答ＩＤ情報をパケット組み立て部３１１に出力する。
【００５０】
パケット組み立て部３１１は、ＩＤ保持部３１０から出力された応答ＩＤ情報を含む応答パケットを組み立て、援助ＩＤ情報を応答パケットのヘッダ部分に挿入する。応答パケットは送受信部３０２を介して基地局１１１に無線送信され、基地局１１１から被援助者の携帯電話機１０１に送信される。
【００５１】
次に、本実施の形態に係る通信方法の流れについて、図５のシーケンス図を用いて説明する。なお、前提として、援助者の携帯電話機には、ユーザに選択された応答項目が記憶されている。
【００５２】
まず、援助事項が発生した場合、被援助者は、携帯電話機１０１から援助ＩＤ信号、援助項目、援助位置情報を含む援助パケットを、基地局１１１を介して援助者の携帯電話機１０２〜１０４に送信する（Ｓ５０１）。
【００５３】
各援助者の携帯電話機１０２〜１０４では、被援助者の携帯電話機と自機との距離の算出及び算出距離と閾値との大小比較、援助項目と応答項目との比較が行われ、算出距離が閾値以下で、かつ、援助項目が応答項目とが一致している場合に限り、図４のような援助項目のメッセージが画面に表示される。そのメッセージが表示された援助者は援助の求めに応えるか否かを判断する（Ｓ５０２）。図５では、援助者１０２、１０３が援助の求めに応え、援助者１０４が援助の求めに応えなかった、あるいは、条件が合わず援助項目が画面に表示されなかった場合を示す。
【００５４】
Ｓ５０２において援助の求めに応えた援助者の携帯電話機１０２、１０３からは、応答ＩＤ情報を含む応答パケットが基地局１１１を介して被援助者の携帯電話機１０１に送信される（Ｓ５０３）。
【００５５】
被援助者の携帯電話機１０１は、援助者の携帯電話機１０２、１０３の１つ（図５では携帯電話機１０２）を選択し（Ｓ５０４）、選択した相手に発呼を行う（Ｓ５０５）。
【００５６】
そして、被援助者と選択された援助者との間で通話がなされ、援助事項の解決が図られる（Ｓ５０６）。
【００５７】
援助事項が終了すると、選択されなかった援助者の携帯電話機（図５では携帯電話機１０３）に対して、被援助者の携帯電話機１０１から終了通知が送信される（Ｓ５０７）。なお、被援助者の携帯電話機１０１から終了通知を送信せず、援助者の携帯電話機１０３において応答パケットを送信してから一定時間経過後に応答内容をキャンセルしても良い。
【００５８】
このように、本実施の形態によれば、援助者側携帯電話機が被援助者側携帯電話機から所定の距離の範囲内にあり、かつ、被援助者が求める援助の内容と援助者が応答可能な援助の内容が一致した場合のみ援助者側携帯電話機に援助項目を表示させることができる。また、本実施の形態によれば、被援助者側携帯電話機が、援助の申し出のあった複数の援助者の中から一人を選択することができる。これにより、ユーザが気軽に援助を求めたり、これに応えたりすることができる。
【００５９】
なお、本実施の形態において、他の方法を用いて援助パケットが届く範囲を制限することも考えられる。その第１の方法は、被援助者の携帯電話機が所属するセル内に存在する携帯電話機に対してのみ援助パケットを送信する方法である。通常、基地局は自セルに接続している携帯電話機を管理しているため、この情報に基づいて援助パケットを送信することにより、第１の方法によれば容易に援助パケットが届く範囲を制限することができる。また、第２の方法は、被援助者の携帯電話機が通話用の電波の周波数とは別の周波数にて微弱な電波を発信し、その電波を正しく受信することができた携帯電話機に対してのみ応答の機会を与える方法である。この第２の方法によれば、位置検出部２０７、３０７、距離算出部３０８が不要となるので小型軽量化、消費電力の低減を図ることができ、ＧＰＳ（Global Positioning System）を使用することができない地下街等でも本システムを実施することができる。
【００６０】
（実施の形態２）
実施の形態２では、各援助者の応答項目及び応答位置情報をサーバで管理し、サーバが、条件判定を行う場合について説明する。
【００６１】
図６は、本発明の実施の形態２に係る携帯電話機を含む移動体通信システムを示すシステム図である。図６において、基地局１１１と接続するサーバ１２１を追加した点が図１と異なる。
【００６２】
援助者の携帯電話機１０２〜１０４は、予め応答項目、応答ＩＤ情報を含むパケットを基地局１１１を介してサーバ１２１に送信し、サーバ１２１は、これらの情報を記憶する。また、援助者の携帯電話機１０２〜１０４は、定期的に応答位置情報を含むパケットを基地局１１１を介してサーバ１２１に送信し、サーバ１２１は、応答位置情報を応答ＩＤ情報、応答項目と対応付けて記憶する。また、被援助者の携帯電話機１０１から送信された援助パケットは、基地局１１１を介してサーバ１２１に送信される。
【００６３】
図７は、実施の形態に係るサーバ１２１の構成を示すブロック図である。サーバ１２１は、インタフェース部７０１と、受信パケット解析部７０２と、携帯情報記憶部７０３と、距離算出部７０４と、条件判定部７０５と、パケット組み立て部７０６とから主に構成される。
【００６４】
インタフェース部７０１は、基地局１１１との間で信号の入出力を行い、基地局１１１からのパケット信号を受信パケット解析部７０２に出力し、送信パケット組み立て部７０６からのパケットを基地局１１１に出力する。
【００６５】
受信パケット解析部７０２は、インタフェース部７０１に入力されたパケットの内容を解析し、援助者の携帯電話機の応答ＩＤ情報、応答項目、応答位置情報を携帯情報記憶部７０３に出力する。また、受信パケット解析部７０２は、インタフェース部７０１に入力された援助パケットの内容を解析し、被援助者の携帯電話機の援助位置情報を距離算出部７０４に出力し、援助項目を条件判定部７０５に出力し、援助ＩＤ情報をパケット組み立て部７０６に出力する。
【００６６】
携帯情報記憶部７０３は、援助者の携帯電話機の応答ＩＤ情報、応答項目、応答位置情報を対応付けて記憶する。
【００６７】
距離算出部７０４は、援助位置情報と応答位置情報とにより、被援助者の携帯電話機と各援助者の携帯電話機との距離を算出し、算出結果を条件判定部７０５に出力する。
【００６８】
条件判定部７０５は、被援助者の携帯電話機との距離が予め設定された閾値以下で、かつ、援助項目と応答項目とが一致している援助者の携帯電話機を検索し、検索した援助者（以下、「援助候補者」という）の携帯電話機の応答ＩＤ情報をパケット組み立て部７０６に出力する。
【００６９】
パケット組み立て部７０６は、受信パケット解析部７０２から出力された援助項目を含む援助パケットを組み立て、条件判定部７０５から出力された応答ＩＤ情報を援助パケットのヘッダ部分に挿入する。援助パケットはインタフェース部７０１を介して基地局１１１に出力され、基地局１１１から援助候補者の携帯電話機に送信される。
【００７０】
次に、本実施の形態に係る援助者の携帯電話機１０２の構成について図８のブロック図を用いて説明する。なお、図８において、図３と共通する構成部分には、図３と同一符号を付す。
【００７１】
図８の携帯電話機１０２は、図３と比較して、距離算出部３０８及び条件判定部３０９を削除する構成を採る。また、図８の携帯電話機１０２において、通話部３０１、送受信部３０２、表示部３０３、入力部３０４及びＩＤ保持部３１０は、図３と作用が共通するので説明を省略する。
【００７２】
応答項目記憶部３０５は、ユーザの指示により応答項目を表示部３０３に表示させ、ユーザに選択された応答項目をパケット組み立て部３１１に出力する。
【００７３】
受信パケット解析部３０６は、送受信部３０２に受信された援助パケットの内容を解析し、援助依頼があった旨及び援助項目をメッセージとして表示部３０３に表示させ、援助ＩＤ情報をパケット組み立て部３１１に出力する。
【００７４】
位置検出部３０７は、応答位置情報を定期的にパケット組み立て部３１１に出力する。
【００７５】
パケット組み立て部３１１は、応答ＩＤ情報、応答項目を含むパケットを組み立てる。また、パケット組み立て部３１１は、応答位置情報を含むパケットを組み立てる。これらのパケットは、送受信部３０２を介して基地局１１１に無線送信され、基地局１１１からサーバ１２１に出力される。また、パケット組み立て部３１１は、ＩＤ保持部３１０から出力された応答ＩＤ情報を含む応答パケットを組み立て、援助ＩＤ情報を応答パケットのヘッダ部分に挿入する。応答パケットは送受信部３０２を介して基地局１１１に無線送信され、基地局１１１から被援助者の携帯電話機１０１に送信される。
【００７６】
次に、本実施の形態に係るサーバの処理の流れについて、図９のフロー図を用いて説明する。なお、前提として、サーバ１２１には、予め、各援助者の携帯電話機の応答ＩＤ情報、応答項目、応答位置情報が対応付けられて記憶される。
【００７７】
まず、サーバ１２１は、援助パケットを基地局１１１から入力し、援助パケットから被援助者の携帯電話機の援助位置情報、援助項目、援助ＩＤ情報を抽出する（Ｓ９０１）。
【００７８】
次に、サーバ１２１は、各援助者の携帯電話機と被援助者の携帯電話機との距離を算出する（Ｓ９０２）。そして、算出した距離が予め設定された閾値以下で、かつ、援助項目と応答項目とが一致している援助者の携帯電話機を検索し、検索された援助者を援助候補者として選択する（Ｓ９０３）。
【００７９】
最後に、サーバ１２１は、援助候補者の携帯電話機に援助パケットを送信する（Ｓ９０４）。
【００８０】
このように、本実施の形態によれば、サーバが、援助者側携帯電話機との距離が所定の範囲内にあり、かつ、被援助者が求める援助項目と応答項目とが一致する援助者側携帯電話機のみに援助パケットを送ることができる。これにより、実施の形態１の効果に加え、援助者側携帯電話機の小型軽量化、消費電力の低減を図ることができる。
【００８１】
なお、上記各実施の形態において、１台の携帯電話機で援助者側、被援助者側の両方の機能を兼ね備えることも可能であることはいうまでもない。この場合、図２、図３（図８）の通話部２０１、３０１、送受信部２０２、３０２、表示部２０３、３０３、入力部２０４、３０４、ＩＤ保持部２０６、３１０、位置検出部２０７、３０７、パケット組み立て部２０８、３１１、受信パケット解析部２０９、３０６が共用される。
【００８２】
また、上記各実施の形態では携帯電話機を例に説明したが、本発明はこれに限られず、他の通信端末装置にも適用することができ、電子メール等、音声を介さない方法で実現することもできる。電子メール方式の場合には、図２、図３（図８）の通話部２０１、３０１がメッセージ送受信部に変更される。
【産業上の利用可能性】
【００８３】
本発明は、不特定の相手にメッセージを発信する通信端末装置及び移動体通信システムに用いるに好適である。
【図面の簡単な説明】
【００８４】
【図１】本発明の実施の形態１に係る携帯電話機を含む移動体通信システムを示すシステム図
【図２】上記実施の形態に係る被援助者の携帯電話機の構成を示すブロック図
【図３】上記実施の形態に係る援助者の携帯電話機の構成を示すブロック図
【図４】上記実施の形態に係る援助者の携帯電話機の表示画面の一例を示す図
【図５】上記実施の形態に係る通信方法の流れを示すシーケンス図
【図６】本発明の実施の形態２に係る携帯電話機、サーバを含む移動体通信システムを示すシステム図
【図７】上記実施の形態に係るサーバの構成を示すブロック図
【図８】上記実施の形態に係る援助者の携帯電話機の構成を示すブロック図
【図９】上記実施の形態に係るサーバの処理の流れを示すフロー図
【符号の説明】
【００８５】
１０１、１０２、１０３、１０４  携帯電話機
１１１  基地局
１２１  サーバ
２０１、３０１  通話部
２０２、３０２  送受信部
２０３、３０３  表示部
２０４、３０４  入力部
２０５  援助項目記憶部
２０６、３１０  ＩＤ保持部
２０７、３０７  位置検出部
２０８、３１１、７０６  パケット組み立て部
２０９、３０６、７０２  受信パケット解析部
２１０  応答ＩＤ選択部
３０５  応答項目記憶部
３０８、７０４  距離算出部
３０９、７０５  条件判定部
７０１  インタフェース部
７０３  携帯情報記憶部
【図１】
2005277903.tif 000003
【図２】
2005277903.tif 000004
【図３】
2005277903.tif 000005
【図４】
2005277903.tif 000006
【図５】
2005277903.tif 000007
【図６】
2005277903.tif 000008
【図７】
2005277903.tif 000009
【図８】
2005277903.tif 000010
【図９】
2005277903.tif 000011